(57)【特許請求の範囲】
【請求項１】
入力される画像信号に応じた投影を行なう第１の投影手段と、
上記入力される画像信号の画像構成を解析する解析手段と、
この解析手段での解析結果に基づいてスクランブル画像を作成する画像作成手段と、
この画像作成手段で作成したスクランブル画像を人間の可視波長範囲に隣接する波長範囲の赤外光を用い、上記第１の投影手段が投影する画像に重ねて投影する第２の投影手段と
を具備したことを特徴とする投影装置。
【請求項２】
上記第１及び第２の投影手段は、異なる２系統の独立した投影機構よりなることを特徴とする請求項１記載の投影装置。
【請求項３】
上記第１及び第２の投影手段は、同一円周上に複数のカラーフィルタを配置した回転カラーフィルタを投影光軸中に介在させて時分割回転駆動する１系統の投影機構よりなることを特徴とする請求項１記載の投影装置。
【請求項４】
上記第２の投影手段は、波長が７００［ｎｍ］乃至９００［ｎｍ］の範囲の赤外光を用いることを特徴とする請求項１記載の投影装置。
【請求項５】
上記解析手段は、上記入力される画像信号の赤色成分の画像構成を解析し、
上記画像作成手段は、上記解析手段での解析結果に基づき、赤色成分の画像構成に対するスクランブル画像を作成する
ことを特徴とする請求項１記載の投影装置。
【請求項６】
上記解析手段、画像作成手段及び第２の投影手段による動作の有無を設定する設定手段をさらに具備したことを特徴とする請求項１記載の投影装置。
【請求項７】
入力される画像信号に応じた投影を行なう第１の投影工程と、
上記入力される画像信号の画像構成を解析する解析工程と、
この解析工程での解析結果に基づいてスクランブル画像を作成する画像作成工程と、
この画像作成工程で作成したスクランブル画像を人間の可視波長範囲に隣接する波長範囲の赤外光を用い、上記第１の投影工程で投影する画像に重ねて投影する第２の投影工程と
を有したことを特徴とする投影方法。
【発明の詳細な説明】
【技術分野】
【０００１】
本発明は、投影した内容の撮像を防止する投影装置及び投影方法に関する。
【背景技術】
【０００２】
人間の視覚特性と撮像カメラの撮像特性の違いに着目し、妨害手段として赤外線光を使用する技術が考えられている。（例えば、特許文献１）
この技術は、映像投影機の近傍位置その他の遠方位置に配置した赤外線光放射器から各リーンに向けて赤外線光を放射し、その反射光を不正行為者の撮像カメラに入射させる仕組みとしたもので、付勢に撮像された映像に、本編の映像とは無関係な赤外線光の光像を記録させるようになるものである。
【０００３】
その結果、不正に撮像された映像の画質は損なわれ、場合によっては不正行為等の特定も可能となるもので、赤外線光自体は人間の肉眼には認識されないので、正規の視聴者が本編の映像を楽しむ上ではなんら支障を生じるものではない。
【特許文献１】米国特許第６，０１８，３７４号
【発明の開示】
【発明が解決しようとする課題】
【０００４】
しかしながら、上記特許文献に記載された技術は、本編の映像の内容とはまったく無関係な赤外線光の光像、例えば不正な撮影により得られたものである旨のメッセージを日時及び場所の情報と共に重ねて投影するものである。
【０００５】
したがって、撮影により得た本編の映像は、それが不正に撮影されたものであることを知ることができる反面、それでも本編の映像の内容が認識可能な状態で撮影されてしまうことには変わりがなく、根本的な解決の手段とはなっていない。
【０００６】
本発明は上記のような実情に鑑みてなされたもので、その目的とするところは、投影された画像が不正に撮影されてしまった場合でも、撮影の結果得られる画像の内容の認識を不可能にすることが可能な投影装置及び投影方法を提供することにある。
【課題を解決するための手段】
【０００７】
請求項１記載の発明は、入力される画像信号に応じた投影を行なう第１の投影手段と、上記入力される画像信号の画像構成を解析する解析手段と、この解析手段での解析結果に基づいてスクランブル画像を作成する画像作成手段と、この画像作成手段で作成したスクランブル画像を人間の可視波長範囲に隣接する波長範囲の赤外光を用い、上記第１の投影手段が投影する画像に重ねて投影する第２の投影手段とを具備したことを特徴とする。
【０００８】
請求項２記載の発明は、上記請求項１記載の発明において、上記第１及び第２の投影手段は、異なる２系統の独立した投影機構よりなることを特徴とする。
【０００９】
請求項３記載の発明は、上記請求項１記載の発明において、上記第１及び第２の投影手段は、同一円周上に複数のカラーフィルタを配置した回転カラーフィルタを投影光軸中に介在させて時分割回転駆動する１系統の投影機構よりなることを特徴とする。
【００１０】
請求項４記載の発明は、上記請求項１記載の発明において、上記第２の投影手段は、波長７００［ｎｍ］乃至９００［ｎｍ］の範囲の赤外光を用いることを特徴とする。
【００１１】
請求項５記載の発明は、上記請求項１記載の発明において、上記解析手段は、上記入力される画像信号の赤色成分の画像構成を解析し、上記画像作成手段は、上記解析手段での解析結果に基づき、赤色成分の画像構成に対するスクランブル画像を作成することを特徴とする。
【００１２】
請求項６記載の発明は、上記請求項１記載の発明において、上記解析手段、画像作成手段及び第２の投影手段による動作の有無を設定する設定手段をさらに具備したことを特徴とする。
【００１３】
請求項７記載の発明は、入力される画像信号に応じた投影を行なう第１の投影工程と、上記入力される画像信号の画像構成を解析する解析工程と、この解析工程での解析結果に基づいてスクランブル画像を作成する画像作成工程と、この画像作成工程で作成したスクランブル画像を人間の可視波長範囲に隣接する波長範囲の赤外光を用い、上記第１の投影工程で投影する画像に重ねて投影する第２の投影工程とを有したことを特徴とする。
【発明の効果】
【００１４】
請求項１記載の発明によれば、投影された画像が不正に撮影されてしまった場合でも、電子カメラに採用される撮像素子の多くは人間の可視波長範囲に隣接する波長範囲の赤外光で重畳して投影させたスクランブル画像にも反応するため、撮影の結果得られる画像の内容の認識を不可能にすることができる。
【００１５】
請求項２記載の発明によれば、上記請求項１記載の発明の効果に加えて、第１の投影手段が投影する正規の画像に対して、これとは独立した第２の投影手段により充分な光量でスクランブル画像を投影して重畳することができるため、より確実に撮影の結果得られる画像の内容の認識を不可能にすることができる。
【００１６】
請求項３記載の発明によれば、上記請求項１記載の発明の効果に加えて、１系統の投影機構より第１及び第２の投影手段を構成したので、装置の小型軽量化に寄与できると共に、正規の画像とスクランブル画像とを位置ずれなく正確に重畳して投影することで、より確実に撮影の結果得られる画像の内容の認識を不可能にすることができる。
【００１７】
請求項４記載の発明によれば、上記請求項１記載の発明の効果に加えて、可視波長範囲に隣接した、ごく狭い波長範囲の赤外光に限定してスクランブル画像を作成し、正規の画像に投影して重畳することができるため、より確実に撮影の結果得られる画像の内容の認識を不可能にすることができる。
【００１８】
請求項５記載の発明によれば、上記請求項１記載の発明の効果に加えて、正規の画像の特に赤色成分の画像構成に対するスクランブル画像を作成して赤外光で投影するものとしたため、より近い色成分で画像内容の判別を困難にし易く、撮影の結果得られる画像の内容の認識をより確実に不可能にすることができる。
【００１９】
請求項６記載の発明によれば、上記請求項１記載の発明の効果に加えて、スクランブル画像の投影の有無を必要に応じて使用者が任意に設定できるものとしたので、不必要にスクランブル画像を投影することがなく、あえて投影画像を撮影したい場合にも対処できる。
【００２０】
請求項７記載の発明によれば、投影された画像が不正に撮影されてしまった場合でも、電子カメラに採用される撮像素子の多くは人間の可視波長範囲に隣接する波長範囲の赤外光で重畳して投影させたスクランブル画像にも反応するため、撮影の結果得られる画像の内容の認識を不可能にすることができる。
【発明を実施するための最良の形態】
【００２１】
以下本発明をプロジェクタ装置に適用した場合の実施の一形態について図面を参照して説明する。
【００２２】
図１は、同実施の形態に係るプロジェクタ装置１０の外観構成を示すもので、主として筐体前面及び上面の構成を示す。同図に示すように、直方体状の本体ケーシング１１の前面の一部、向かって右側に第１投影レンズ１２と第２投影レンズ１３とが近接して配置される。また、本体ケーシング１１の前面、左端側にはＩｒ受信部１４が配設される。
【００２３】
第１投影レンズ１２は、後述するマイクロミラー素子等の空間的光変調素子で形成された正規の光像をスクリーン等の対象に投影するためのものであり、ここでは合焦位置及びズーム位置（投影画角）を任意に可変できるものとする。
【００２４】
第２投影レンズ１３も、後述するマイクロミラー素子等の空間的光変調素子で形成されたスクランブル用の光像（以下「スクランブル画像」と称する）をスクリーン等の対象に投影するためのものであり、ここでは合焦位置及びズーム位置（投影画角）が第１投影レンズ１２に連動して可変されるものとする。
【００２５】
Ｉｒ受信部１４は、図示しないこのプロジェクタ装置１０のリモートコントローラからのキー操作信号が重畳された赤外光（Ｉｒ）信号を受信する。
【００２６】
また、本体ケーシング１１の上面には、キースイッチ部１５、及びスピーカ１６が配設
される。  
キースイッチ部１５は、装置の電源のオン／オフ、スクランブル画像の投影モードのオン／オフ、入力切換、自動合焦、自動台形補正、その各種モード選択等を指示する各種キースイッチよりなる。
【００２７】
スピーカ１６は、入力された音声信号及び動作時のビープ音等を拡声放音する。
【００２８】
また、図示はしないが本体ケーシング１１の背面には、入出力コネクタ部、上記Ｉｒ受信部１４と同様のＩｒ受信部、及びＡＣアダプタ接続部が配設されるものとする。  
入出力コネクタ部は、例えばパーソナルコンピュータ等の外部装置との接続のためのＵＳＢ端子、映像入力用のＲＧＢミニＤ−ＳＵＢ端子、Ｓ端子、及びＲＣＡ端子と、音声入力用のステレオミニ端子等からなる。
【００２９】
ＡＣアダプタ接続部は、電源となる図示しないＡＣアダプタからのケーブルを接続する。
【００３０】
次に図２により上記プロジェクタ装置１０の電子回路の機能構成について説明する。  
図中、入出力コネクタ部２１より入力された各種規格の画像信号が、入出力インタフェース（Ｉ／Ｆ）２２、システムバスＳＢを介して画像変換部２３で所定のフォーマットの画像信号に統一された後に、投影エンコーダ２４へ送られる。
【００３１】
投影エンコーダ２４は、送られてきた画像信号をビデオＲＡＭ２５に展開記憶させた上でこのビデオＲＡＭ２５の記憶内容からビデオ信号を生成して投影駆動部２６に出力する。
【００３２】
この投影駆動部２６は、送られてきた画像信号に対応して適宜フレームレート、例えば例えば６０［フレーム／秒］と色成分の分割数、及び表示階調数を乗算した、より高速な時分割駆動で空間的光変調素子（ＳＯＭ）である例えばマイクロミラー素子２７を表示駆動する。
【００３３】
このマイクロミラー素子２７に対して、リフレクタ２８内に配置された超高圧水銀ランプ等の光源ランプ２９が出射する高輝度の白色光を、モータ３１に回転駆動されるカラーホイール３０を介して適宜原色（例えばＲ（赤），Ｇ（緑），Ｂ（青），及びＷ（白（透明））に着色し、ここでは図示しないインテグレータにより光束強度分布を平均化した上でミラー３２を介して照射することで、その反射光で光像が形成され、上記第１投影レンズ１２を介し、ここでは図示しないスクリーンに投影表示される。
【００３４】
一方、スクランブル画像の投影モードがオンに設定されている際には、上記第１投影レンズ１２からの投影に併せて、画像変換部２３で所定のフォーマットに統一した画像信号から、後述する制御部３３が画像の構造解析を行ない、文字、数字、アルファベット等のキャラクタ部分と円グラフ、棒グラフ、静止画像、動画像等のイメージ部分とを領域区分してそれに対応したスクランブル画像を作成し、作成したスクランブル画像の画像信号を投影エンコーダ３４へ送る。
【００３５】
投影エンコーダ３４は、送られてきた画像信号をビデオＲＡＭ３５に展開記憶させた上でこのビデオＲＡＭ３５の記憶内容からビデオ信号を生成して投影駆動部３６に出力する。
【００３６】
この投影駆動部３６は、送られてきた画像信号に対応して適宜フレームレート、例えば例えば６０［フレーム／秒］のみに基づく時分割駆動で空間的光変調素子（ＳＯＭ）である例えばマイクロミラー素子３７を表示駆動する。
【００３７】
このマイクロミラー素子３７に対して、リフレクタ３８内に配置された赤外線ランプ３９が出射する特定波長帯に限定した赤外光をミラー４０を介して照射することで、その反射光で光像が形成されて、上記第２投影レンズ１３を介し、ここでは図示しないスクリーン上の上記第１投影レンズ１２により投影された画像に重畳するようにして投影表示される。
【００３８】
上記各回路のすべての動作制御を司るのが制御部３３である。この制御部３３は、ＣＰＵと、後述する投影動作時のスクランブル画像の投影モードのオン／オフ設定に係る処理を含む該ＣＰＵで実行される動作プログラムを記憶した不揮発性メモリ、及びワークメモリ等により構成される。
【００３９】
この制御部３５にはまた、システムバスＳＢを介してＩｒ受信部４１及び音声処理部４２が接続される。  
Ｉｒ受信部４１は、上記Ｉｒ受信部１４及び本体ケーシング１１の背面側に設けられるＩｒ受信部を含み、その赤外光受信信号をコード信号化して制御部３３に送出する。
【００４０】
音声処理部４２は、ＰＣＭ音源等の音源回路を備え、投影動作時に与えられる音声データをアナログ化し、上記スピーカ１６を駆動して拡声放音し、あるいは必要によりビープ音を発生させる。  
なお、上記キースイッチ部１５における各キー操作信号は直接制御部３３に入力される。
【００４１】
次に上記実施の形態の動作について説明する。  
なお、標準的な人間の目の感度特性を国際照明委員会（ＣＩＥ：Ｃｏｍｍｉｓｉｏｎ  Ｉｎｔｅｒｎａｔｉｏｎ  Ｉ’Ｅｃｌａｉｒａｇｅ）では「標準比視感度」として規定しており、具体的には波長４２０［ｎｍ］から波長７００［ｎｍ］までの範囲であれば肉眼で感知することができるものとしている。
【００４２】
一方、通常市販されている多くのデジタルカメラでは、撮像素子であるＣＣＤが備えるＩｒ（赤外光）カットフィルタの個体差にもよるが、一般に波長３５０［ｎｍ］から波長１０００［ｎｍ］程度の範囲までは感知可能なものが多い。
【００４３】
したがって本実施の形態では、赤外線ランプ３９が例えば波長７００［ｎｍ］〜波長９００［ｎｍ］の範囲に限定した赤外光を出射し、その赤外光によりスクランブル画像の光像を作成して第２投影レンズ１３より投影させるものとする。
【００４４】
図３は、上記第１投影レンズ１２、マイクロミラー素子２７を含む第１の投影系により、入出力コネクタ部２１より入力されている画像信号に基づいた正規の画像（以下「本画像」と称する）を投影している際に、併せて上記第２投影レンズ１３、マイクロミラー素子２７、投影エンコーダ２４等を含む第２の投影系を用いてスクランブル画像の投影を行なう場合の、主として制御部３３がＲＯＭに記憶された動作プログラムに基づいて実行する処理内容を示すものである。
【００４５】
その当初には、上記キースイッチ部１５によりスクランブル画像の投影モードが設定されたか否かを繰返し判断することで、当該モードが設定されるのを待機する（ステップＳ０１）。
【００４６】
しかして、制御部３３はスクランブル画像の投影モードが設定された場合に上記ステップＳ０１でこれを判断し、その時点で第１の投影系により投影表示している上記本画像の構成を解析する（ステップＳ０２）。
【００４７】
これは、画像変換部２３が変換して投影エンコーダ２４を介してビデオＲＡＭ２５に書込む、マイクロミラー素子２７を表示駆動するための画像データに基づいて制御部３３が実行するものである。
【００４８】
例えば、上記カラーホイール３０がＲ（赤），Ｇ（緑），Ｂ（青），及びＷ（白（透明））の計４つの色成分に対応したカラーフィルタを円周上に配しており、その回転駆動に同期してマイクロミラー素子２７でＲ，Ｇ，Ｂ及びＹ（輝度）の各色成分の画像を順次表示しているものとすると、制御部３３はそれらの色成分のうち、特にＲ成分のみ他の色成分と大きく異なっている部分をまず抽出する。
【００４９】
図４は、第１の投影系で投影している本画像を例示するもので、ここでは説明を容易にするためにＲ成分のみ他の色成分と異なっている部分のみを白抜きの画像で表現するものとする。
【００５０】
この場合、同図中では黒ベタで表現されている部分はそのほとんどが背景色である「白」であり、当然ながら「白」は上記した色成分Ｇ，Ｂ，及びＷの他にＲの成分も含むものであるが、その割合は他の色成分と同じくほぼフル階調となるものであるので、あえてここでは黒ベタで表現する。
【００５１】
制御部３３は、Ｒ成分のみ他の色成分と異なっている部分のみを例えば所定の閾値を用いて抽出すると、次にその画像構成から文字（漢字、ひらがな、カタカナ、記号等）、数字、アルファベット等のキャラクタ部分と、それ以外の円グラフ、棒グラフ、静止画像、動画像等のイメージ部分とを領域区分する。
【００５２】
制御部３３は、この領域を区分した各部分毎に、同じ種類のランダムなデータを発生して構成したスクランブル画像を作成する（ステップＳ０３）。これは、例えばキャラクタ部分では文字、数字、アルファベット等同じ種類中のランダムなデータをより大きなフォントサイズ、キャラクタ数等により構成する一方で、イメージ部分では対応する範囲内に所定のイメージパターン、例えば矩形をマトリックス状に配列して構成するようなスクランブル画像を作成する。
【００５３】
その後、作成したスクランブル画像により投影エンコーダ３４、ビデオＲＡＭ３５、投影駆動部３６及びマイクロミラー素子３７と赤外線ランプ３９を含む第２の投影系でスクランブル画像を第１の投影系で投影している本画像に重畳するように投影させる（ステップＳ０４）。
【００５４】
ここで、上述したが第２の投影系を構成する第２投影レンズ１３は、第１の投影系を構成する第１投影レンズ１２とそのズーム位置及び焦点位置を連動するものとしているため、例えば第１投影レンズ１２と第２投影レンズ１３とでその投影光軸が平行である場合には、第１投影レンズ１２と第２投影レンズ１３との取付け位置間の距離及びスクリーンまでの距離に応じて多少のずれは生じるものの、ほぼ正確に２つの投影内容を重畳させることができる。
【００５５】
図５は、このとき投影対象のスクリーン上で投影表示される画像を一般的なデジタルカメラ等で撮像した場合に、それを再生して得られる画像を例示するものであり、上記図４で示した画像に加えて、人間の肉眼では見ることができない数値、漢字及びマトリックス状に配列した矩形のイメージパターンがスクランブル画像として判別不能に重畳されているため、第１投影レンズ１２より投影される本画像のみを正確に判読することがきわめて困難となる。
【００５６】
図６は、上記図５に代えてスクランブル画像を一部の部分のみ、例えば数字の部分のみを用いてスクランブル画像を作成、投影し、その投影画像をデジタルカメラ等で撮影した場合に再生して得られる画像を例示するものである。
【００５７】
同様に図７は、上記図５に代えてスクランブル画像を一部の部分のみ、例えばイメージ部分のみで例えば菱形をマトリックス状に配列して構成するようなスクランブル画像を作成、投影し、その投影画像をデジタルカメラ等で撮影した場合に再生して得られる画像を例示するものである。
【００５８】
これらに示した如く、赤外光によるスクランブル画像は、本画像中の特に可視波長範囲で上記赤外光の波長範囲に隣接する波長範囲であるＲ成分の画像に基づいて作成されており、デジタルカメラで撮像した場合に得られる画像中でも非常に近い色成分で表現されるため、本画像とスクランブル画像とで画像の内容の判別がより困難となる。
【００５９】
こうして人間の肉眼では見ることができないスクランブル画像を本画像に重ねて投影した状態で、第１の投影系で投影している本画像に変化が生じたか否かを判断する（ステップＳ０５）。
【００６０】
ここで変化が生じていないと判断した場合はさらに上記キースイッチ部１５によりスクランブル画像の投影モードが解除されたか否かを判断し（ステップＳ０６）、解除されていないと判断すると再び上記ステップＳ０４に戻って本画素の投影に伴うスクランブル画像の重畳投影の動作を続行する。
【００６１】
しかして、第１の投影系で投影表示する本画像に変化があった場合には、ステップＳ０５でこれを判断し、再び上記ステップＳ０２からの処理に戻って、その新たな本画像に対するスクランブル画像の作成と投影を行なう。
【００６２】
さらに、上記のようにして本画像に赤外光によるスクランブル画像を重畳して投影表示している状態でスクランブル画像の投影モードが解除されると、上記ステップＳ０６でこれを判断し、ビデオＲＡＭ３５に保持しているスクランブル画像のデータをクリアすると共に、第２投影レンズ１３を含むこの第２の投影系でのスクランブル画像の投影を停止し（ステップＳ０７）、再びスクランブル画像の投影モードが設定されるのを待機するべく上記ステップＳ０１からの処理に戻る。
【００６３】
このように、人間の肉眼では、第１投影レンズ１２よりスクリーンに投影される、第１の投影系での本画像のみが視認可能であるが、実際には第２投影レンズ１３より第２の投影系でのスクランブル画像も重畳して投影されている。
【００６４】
したがって、投影画像がデジタルカメラ等により不正に撮影されてしまった場合でも、デジタルカメラに採用される撮像素子の多くは人間の可視波長範囲に隣接する波長範囲の赤外光で重畳して投影させたスクランブル画像にも反応するため、撮影の結果得られる画像の内容の認識をほぼ確実に不可能にすることができる。
【００６５】
また、上記実施の形態においては、第１投影レンズ１２を含む第１の投影系が投影する本画像に対して、これとは独立した第２投影レンズ１３を含む第２の投影系によりスクランブル画像を投影して重畳するものとした。
【００６６】
このように、スクランブル画像を投影するための独立した光源を含む投影系を設け、時間軸上においても本画像の投影と同時にスクランブル画像を投影し続けることができるため、スクランブル画像の投影光量を充分に確保でき、不正な撮影の結果得られる画像の内容の認識をより確実に不可能にすることができる。
【００６７】
さらに、上記実施の形態では、第２の投影系の光源である赤外線ランプ３９が、可視波長範囲に隣接した、例えば波長７００［ｎｍ］〜波長９００［ｎｍ］の範囲に限定した赤外光を出射し、その赤外光によりスクランブル画像の光像を作成して第２投影レンズ１３より投影させるものとした。
【００６８】
これにより、ごく狭い波長範囲の赤外光に限定してスクランブル画像を作成し、正規の画像である本画像に投影して重畳することができるため、より確実に撮影の結果得られる画像の内容の認識を不可能にすることができる。
【００６９】
また、上記実施の形態では、第２の投影系の光源である赤外線ランプ３９自体が上述したごく狭い波長範囲の赤外光を出射するものとして説明したが、本発明はこれに限らず、可視波長範囲に隣接した赤外光を含む、より広い波長範囲の出射する光源ランプを用いながら、その後段に周波数除去／透過特性を有するダイクロイックミラー等の光学素子を組み合わせて構成し、所望する波長範囲の赤外光のみを透過させるものとしてもよい。
【００７０】
さらに、上記実施の形態では、スクランブル画像の投影モードをプロジェクタ装置１０のユーザがキースイッチ部１５での操作により任意に設定及び解除できるものとしたので、不必要にスクランブル画像を投影することがなく、あえて投影画像を撮影したい場合にも対処できる。
【００７１】
なお、上記実施の形態では、２つの独立した投影系により本画像とスクランブル画像とを別個に投影するものとして説明したが、本発明はこれに限らず、１つの投影系のみで本画像とスクランブル画像とを投影表示させることもできる。
【００７２】
以下、そのような本発明の実施の形態の他の構成例についても簡単に説明しておく。
【００７３】
１系統のみの統計とする場合、当然ながら上記図１における第２投影レンズ１３、上記図２における投影エンコーダ３４、ビデオＲＡＭ３５、投影駆動部３６、投影駆動部３６、マイクロミラー素子３７、リフレクタ３８、赤外線ランプ３９、ミラー４０、及び第２投影レンズ１３の構成はそれぞれ不要となる。
【００７４】
また、上記実施の形態ではカラーホイール３０がＲ（赤），Ｇ（緑），Ｂ（青），及びＷ（白（透明））の計４つの色成分に対応したカラーフィルタを円周上に配したものであると説明したが、ここでは図８に示すような色成分の配列を有するものとする。
【００７５】
すなわち図８では、カラーホイール３０′はＲ（赤），Ｇ（緑），Ｂ（青），及びＩｒ（赤外光）の計４つの色成分に対応したカラーフィルタ３０Ｒ，３０Ｇ，３０Ｂ，３０Ｉｒを円周上に配置するものであり、その回転駆動に同期してマイクロミラー素子２７で本画像のＲ，Ｇ，Ｂの各色成分の画像及びスクランブル画像を順次表示することで、上記実施の形態と同様の効果を奏することができる。
【００７６】
上記図８では、赤外光を発するためのカラーフィルタ３０Ｉｒの領域が他の本画像のＲ，Ｇ，Ｂの各色成分を発するためのカラーフィルタ３０Ｒ，３０Ｇ，３０Ｂの領域に比して狭い（中心角が小さい）ものとなっているが、スクランブル画像は本画像の各色成分の画像のように階調表示する必要がなく、常にフル階調で表示すればよいので、問題とはならない。
【００７７】
このように、１系統の投影機構より本画像とスクランブル画像とを合わせて投影することが可能となるので、装置の構成を簡略化し、小型軽量化に寄与できると共に、正規の画像とスクランブル画像とを位置ずれなく正確に重畳して投影することで、より確実に撮影の結果得られる画像の内容の認識を不可能にすることができる。
【００７８】
なお、上記実施の形態は、例えばマイクロミラー素子のような空間的光変調素子（ＳＯＭ）を用いたプロジェクタ装置に適用した場合について説明したが、本発明はこれに限らず、白色光源と透過型のカラー液晶表示パネルを用いたプロジェクタや、フィールドシーケンシャル方式と呼称される、時分割でＲＧＢに発光する光源と透過型のモノクロ液晶パネルとを組み合わせた方式のプロジェクタ等であっても同様に適用可能である。
【００７９】
その他、本発明は上記実施の形態に限らず、その要旨を逸脱しない範囲内で種々変形して実施することが可能であるものとする。
【００８０】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００８１】
【図１】本発明の実施の一形態に係るプロジェクタ装置の外観構成を示す斜視図。
【図２】同実施の形態に係る電子回路の機能構成を示すブロック図。
【図３】同実施の形態に係るスクランブル画像を投影する際の処理内容を示すフローチャート。
【図４】同実施の形態に係る本画像のみの投影状態を例示する図。
【図５】同実施の形態に係る本画像とスクランブル画像とが重畳された撮影画像を例示する図。
【図６】同実施の形態に係る画像を例示する図。
【図７】同実施の形態に係る画像を例示する図。
【図８】同実施の形態の他の構成に係るカラーホイールのカラーフィルタ配置を例示する図。
【符号の説明】
【００８２】
１０…プロジェクタ装置、１１…本体ケーシング、１２…第１投影レンズ、１３…第２投影レンズ、１４…Ｉｒ受信部、１５…キースイッチ部、１６…スピーカ、２１…入出力コネクタ部、２２…入出力インタフェース２（Ｉ／Ｆ）、２３…画像変換部、２４…投影エンコーダ、２５…ビデオＲＡＭ、２６…投影駆動部、２７…マイクロミラー素子（ＳＯＭ）、２８…リフレクタ、２９…光源ランプ、３０，３０′…カラーホイール、３０Ｒ，３０Ｇ，３０Ｂ，３０Ｉｒ…カラーフィルタ、３１…モータ（Ｍ）、３２…ミラー、３３…制御部、３４…投影エンコーダ、３５…ビデオＲＡＭ、３６…投影駆動部、３７…マイクロミラー素子（ＳＯＭ）、３８…リフレクタ、３９…赤外線ランプ、４０…ミラー、４１…Ｉｒ受信部、４２…音声処理部、ＳＢ…システムバス。
【図１】
0004807003.tif 000002
【図２】
0004807003.tif 000003
【図３】
0004807003.tif 000004
【図４】
0004807003.tif 000005
【図５】
0004807003.tif 000006
【図６】
0004807003.tif 000007
【図７】
0004807003.tif 000008
【図８】
0004807003.tif 000009